(57)【特許請求の範囲】
【請求項１】
複数の物品を、所定範囲内で目標値に最も近い重量となるように組み合わせるため、物品の重量を計測し、組み合わせるべき物品を選択指示する組合わせ計量装置において、１個の主秤(M)を有する主秤ユニット(1)と、主秤(M)とは別列に配置した複数個の副秤(S1〜S5)を有する副秤ユニット(2)とから成り、各副秤(S1〜S5)ごとに選択指示用の表示灯(LS1〜LS5)を設け、主秤(M)に物品の基本集合を載せ、副秤(S1〜S5)に組み合わせ候補の物品を載せると、主秤(M)の基本集合に対して、最適な組み合わせとなる物品が載った副秤(SX)の表示灯(LSX)が点灯するようにし、
前記副秤ユニット(2)に、主秤(M)に載せた物品の基本集合の重量と、いずれか１個の副秤(SX)に載せた物品の重量の和が、全ての副秤(S1〜S5)について、所定範囲より重くなる場合に点灯する表示灯(LSB)を設け、この表示灯(LSB)が点灯した場合に、最も軽い物品を載せた副秤(SX)の表示灯(LSX)が点灯するようにしたことを特徴とする組合せ計量装置。
【請求項２】
複数の物品を、所定範囲内で目標値に最も近い重量となるように組み合わせるため、物品の重量を計測し、組み合わせるべき物品を選択指示する組合わせ計量装置において、１個の主秤(M)を有する主秤ユニット(1)と、主秤(M)とは別列に配置した複数個の副秤(S1〜S5)を有する副秤ユニット(2)とから成り、各副秤(S1〜S5)ごとに選択指示用の表示灯(LS1〜LS5)を設け、主秤(M)に物品の基本集合を載せ、副秤(S1〜S5)に組み合わせ候補の物品を載せると、主秤(M)の基本集合に対して、最適な組み合わせとなる物品が載った副秤(SX)の表示灯(LSX)が点灯するようにし、
前記副秤ユニット(2)に、主秤(M)に載せた物品の基本集合の重量と、いずれか１個の副秤(SX)に載せた物品の重量の和が、全ての副秤(S1〜S5)について、所定範囲より軽くなる場合に点灯する表示灯(LSF)を設け、この表示灯(LSF)が点灯した場合に、最も重い物品を載せた副秤(SX)の表示灯(LSX)が点灯するようにしたことを特徴とする組合せ計量装置。
【発明の詳細な説明】
【技術分野】
【０００１】
この発明は、農産物等の物品を、所定範囲内で目標値に最も近い重量となるように組み合わせるための組合せ計量装置に関するものである。
【背景技術】
【０００２】
一般に、アスパラガスは、複数本結束して販売され、その出荷時の結束に際しては、組み合わせるアスパラガスの太さ及び長さを同程度に揃えると共に、組み合わせた重量が販売時に表示する重量以上で許容される所定範囲内となるようにし、かつ、損失を抑制するため、所定範囲の下限値に近くなるようにしなければならない。
【０００３】
このようなアスパラガスの出荷作業に供するため、本出願人は、下記特許文献１において、収穫されたアスパラガスを太さの等級に応じて選別し、ある程度揃った長さに切断する選別装置を提案している。
【０００４】
また、この装置による選別及び切断後の結束に際し、アスパラガスを所定範囲内で下限値に近い重量となるように組み合わせるための計量装置として、下記特許文献２に記載されたようなものを使用することが考えられる。
【０００５】
この組合せ計量装置は、図８に示すように、複数の計量皿５１、これらの各計量皿５１に対応した表示灯５２及び操作パネル５３を備え、作業者が操作パネル５３で目標値及び許容範囲を設定し、各計量皿５１に被計量物を載せると、演算が実行され、所定範囲内で目標重量に最も近くなる計量皿５１の組み合わせが決定されて、その計量皿５１の近傍の表示灯５２が点灯し、作業者が表示灯５２の点灯した計量皿５１の物品を集めることにより、最適な組み合わせの物品を集合包装できるようにしたものである。
【先行技術文献】
【特許文献】
【０００６】
【特許文献１】特開２０１１−２２４４７４号公報
【特許文献２】特開２０１１−１６９６７５号公報
【発明の概要】
【発明が解決しようとする課題】
【０００７】
しかしながら、上記のような組合せ計量装置は、各計量皿５１に被計量物を１個ずつ載せる使用方法を想定して構成されたものであることから、これをアスパラガスの組み合わせに適用すると、組み合わせが決定した後、アスパラガスを表示灯５２の点灯した各計量皿５１から１本ずつ集め、次に計量するアスパラガスをそれらの計量皿５１に１本ずつ載せなければならず、作業に多大な手間を要するという問題がある。
【０００８】
そこで、この発明は、農産物等の物品出荷時の組み合わせを決定する計量に際し、作業負荷を軽減できるようにすることを課題とする。
【課題を解決するための手段】
【０００９】
上記課題を解決するため、この発明は、複数の物品を、所定範囲内で目標値に最も近い重量となるように組み合わせるため、物品の重量を計測し、組み合わせるべき物品を選択指示する組合わせ計量装置において、１個の主秤を有する主秤ユニットと、主秤とは別列に配置した複数個の副秤を有する副秤ユニットとから成り、各副秤ごとに選択指示用の表示灯を設け、主秤に物品の基本集合を載せ、副秤に組み合わせ候補の物品を載せると、主秤の基本集合に対して、最適な組み合わせとなる物品が載った副秤の表示灯が点灯するようにしたのである。
【００１０】
また、主秤ユニットに、主秤に載せた物品の基本集合の重量が所定範囲内にあるとき点灯する表示灯と、所定範囲より重い場合に点灯する表示灯とを設けたのである。
【００１１】
また、前記副秤ユニットに、主秤に載せた物品の基本集合の重量と、いずれか１個の副秤に載せた物品の重量の和が、全ての副秤について、所定範囲より重くなる場合に点灯する表示灯を設け、この表示灯が点灯した場合に、最も軽い物品を載せた副秤の表示灯が点灯するようにしたのである。
【００１２】
さらに、前記副秤ユニットに、主秤に載せた物品の基本集合の重量と、いずれか１個の副秤に載せた物品の重量の和が、全ての副秤について、所定範囲より軽くなる場合に点灯する表示灯を設け、この表示灯が点灯した場合に、最も重い物品を載せた副秤の表示灯が点灯するようにしたのである。
【００１３】
なお、上述の構成において、各表示灯の「点灯」には、連続的に点灯する場合だけでなく、点滅する場合も含むものとする。
【発明の効果】
【００１４】
この発明に係る組合せ計量装置では、農産物等の物品出荷時の組み合わせ包装作業に際し、原則的に、１個の主秤に纏めて載せた基本集合となる物品と、表示灯が点灯した副秤の物品とを取り上げるだけで、所定範囲内で目標値に最も近く、損失の少ない物品の組み合わせを得ることができる。
【００１５】
そして、次の組み合わせ作業のためには、主秤に基本集合となる物品を適当に纏めて載せ、先の組み合わせで物品を取り上げた副秤にのみ物品を補充するだけでよく、主秤と副秤の配置も相俟って、反復する作業の負荷を軽減することができる。
【図面の簡単な説明】
【００１６】
【図１】この発明に係る組合せ計量装置を示す斜視図
【図２】同上の画面表示例を示す図
【図３】同上の副秤表示灯が２個点灯した状態を示す平面図
【図４】同上の主秤ユニットの「適」表示灯が点灯した状態を示す概略平面図
【図５】同上の主秤ユニットの「多」表示灯が点灯した状態を示す概略平面図
【図６】同上の副秤ユニットの「多」表示灯が点灯した状態を示す概略平面図
【図７】同上の副秤ユニットの「少」表示灯が点灯した状態を示す概略平面図
【図８】従来の組合せ計量装置を示す斜視図
【発明を実施するための形態】
【００１７】
以下、この発明の実施形態を添付図面に基づいて説明する。
【００１８】
図１に示すように、この組合せ計量装置は、中央部前方に突出する主秤ユニット１と、その後端から両側方へ延びる横長の副秤ユニット２とから構成されている。主秤ユニット１は、１個の主秤Ｍを有し、副秤ユニット２は、この例の場合、横一列に並ぶ５個の副秤Ｓ１〜Ｓ５を有する。
【００１９】
また、副秤ユニット２の後面中央部から立ち上がる支柱上に、図示省略した制御部に対して各種設定を行うソフトキーや計量結果を表示するタッチパネル式の操作画面３が設けられ、副秤ユニット２の前面に、電源スイッチ４が設けられている。
【００２０】
主秤ユニット１には、主秤Ｍの計量値が表示される表示板ＤＭが設けられ、主秤Ｍの各側方に「適」及び「多」表示灯ＬＭＪ，ＬＭＢが設けられている。
【００２１】
副秤ユニット２には、各副秤Ｓ１〜Ｓ５に対応して、その前方に表示灯ＬＳ１〜ＬＳ５及び計量値が表示される表示板ＤＳ１〜ＤＳ５が設けられ、また、左右端部にそれぞれ「多」及び「少」表示灯ＬＳＢ，ＬＳＦが設けられている。なお、以下の説明では、配置番号を特定しない副秤、表示灯及び表示板の符号を、それぞれＳＸ，ＬＳＸ，ＤＳＸと表記する。
【００２２】
上記のような組合せ計量装置では、アスパラガスを出荷時に結束するための組み合わせ作業を行う際、予め、特許文献１に記載したような装置を使用して、アスパラガスを太さの等級に応じて選別し、ある程度揃った長さに切断しておく。
【００２３】
そして、操作画面３から束の下限重量と上限重量とを設定する。図２に示す例では、下限重量を１０３．０ｇとし、上限重量を１１０．０ｇとしている。
【００２４】
次に、目分量で下限重量より若干軽くなる程度にアスパラガスを集めた基本集合を主秤Ｍに載せ、各副秤Ｓ１〜Ｓ５に組み合わせ候補のアスパラガスを１本ずつ載せる。
【００２５】
そうすると、主秤Ｍ及び各副秤Ｓ１〜Ｓ５の計量値に基づいて、制御部で演算が行なわれ、主秤Ｍに載せたアスパラガスの基本集合に対して、下限重量と上限重量の間の範囲内で、下限重量に最も近い最適な組み合わせとなるアスパラガスが載った副秤ＳＸ（図１ではＳ４）に対応する表示灯ＬＳＸ（図１ではＬＳ４）が点灯する。
【００２６】
図２に示す例では、主秤Ｍに載せたアスパラガスの基本集合の計量値が８６．８ｇとなり、主秤Ｍの計量値と最適な組合せとなるアスパラガスが載った副秤ＳＸの計量値の和が１０３．７ｇとなっている。
【００２７】
このように組合せ計量が行われた後、主秤Ｍに載せたアスパラガスの基本集合と、表示灯ＬＳＸが点灯した副秤ＳＸのアスパラガスとを取り上げると、所定範囲内で目標値に最も近く、損失の少ないアスパラガスの組み合わせを得ることができ、その組み合せを結束することにより、出荷状態とすることができる。
【００２８】
この組合せ計量において、主秤Ｍからアスパラガスの基本集合を取り上げたとき、操作画面３に表示される処理済の組数に１が加算される（図２では、組数００１１となっている）ので、組み合わせた束数を容易に把握することができる。
【００２９】
そして、次の組み合わせ作業のためには、主秤Ｍに基本集合となるアスパラガスを適当に纏めて載せ、先の組み合わせでアスパラガスを取り上げた副秤ＳＸにのみアスパラガスを１本ずつ補充するだけでよく、主秤Ｍと副秤Ｓ１〜Ｓ５の配置も相俟って、反復する作業の負荷を軽減することができる。
【００３０】
ところで、主秤Ｍに載せたアスパラガスの基本集合と、副秤Ｓ１〜Ｓ５のいずれか１個に載せたアスパラガスとを組み合わせても、下限重量に達しない場合には、図３に示すように、複数個の副秤ＳＸ（図３ではＳ２とＳ４）に対応する表示灯ＬＳＸ（図３ではＬＳ２とＬＳ４）が点灯することがある。
【００３１】
この場合、主秤Ｍに載せたアスパラガスの基本集合と、表示灯ＬＳＸが点灯した複数個の副秤ＳＸのアスパラガスとを取り上げることにより、所定範囲内で目標値に最も近く、損失の少ないアスパラガスの組み合わせを得ることができる。
【００３２】
また、主秤Ｍに載せたアスパラガスの基本集合だけで、重量が所定範囲内となる場合には、図４に示すように、主秤ユニット１の「適」表示灯ＬＭＪが点灯するので、表示板ＤＭの表示値を確認し、その重量で問題なければ、主秤Ｍからアスパラガスの基本集合を取り上げて、これだけを結束することにより、出荷状態とすればよい。
【００３３】
一方、もう少し下限値に近い方が望ましいのであれば、主秤Ｍからアスパラガスを減らして、再度副秤Ｓ１〜Ｓ５との組合せ計量を行えばよい。
【００３４】
さらに、主秤Ｍに載せたアスパラガスの基本集合だけで、重量が上限値を超える場合には、図５に示すように、主秤ユニット１の「多」表示灯ＬＭＢが点灯するので、主秤Ｍからアスパラガスを減らして、再度副秤Ｓ１〜Ｓ５との組合せ計量を行えばよい。
【００３５】
そのほか、主秤Ｍに載せたアスパラガスの基本集合の重量と、いずれか１個の副秤ＳＸに載せたアスパラガスの重量の和が、全ての副秤Ｓ１〜Ｓ５について、所定範囲より重くなる場合には、図６に示すように、副秤ユニット２の左端部の「多」表示灯ＬＳＢが点滅すると共に、最も軽いアスパラガスを載せた副秤ＳＸ（図６ではＳ２）に対応する表示灯ＬＳＸ（図６ではＬＳ２）が点滅する。
【００３６】
この場合、主秤Ｍの表示板ＤＭの表示値を確認し、その重量で問題なければ、主秤Ｍからアスパラガスの基本集合を取り上げて、これだけを結束することにより、出荷状態とすればよい。また、表示灯ＬＳＸが点滅する副秤ＳＸのアスパラガスを、より軽いと思われるものに載せ替えて、再度主秤Ｍと副秤Ｓ１〜Ｓ５との組合せ計量を行ってもよい。
【００３７】
また、主秤Ｍに載せたアスパラガスの基本集合の重量と、いずれか１個の副秤ＳＸに載せたアスパラガスの重量の和が、全ての副秤Ｓ１〜Ｓ５について、所定範囲より軽くなる場合には、図７に示すように、副秤ユニット２の右端部の「少」表示灯ＬＳＦが点滅すると共に、最も重いアスパラガスを載せた副秤ＳＸ（図７ではＳ５）に対応する表示灯ＬＳＸ（図７ではＬＳ５）が点滅する。
【００３８】
この場合、主秤Ｍにアスパラガスを追加して載せ、再度主秤Ｍと副秤Ｓ１〜Ｓ５との組合せ計量を行えばよく、表示灯ＬＳＸが点滅する副秤ＳＸのアスパラガスを、より重いと思われるものに載せ替えて、再度主秤Ｍと副秤Ｓ１〜Ｓ５との組合せ計量を行ってもよい。
【００３９】
ここで、上記のように、主秤Ｍの基本集合の重量が所定範囲外となる場合、副秤ユニット２の「多」及び「少」表示灯ＬＳＢ，ＬＳＦが点滅すると共に、副秤ＳＸの表示灯ＬＳＸが点滅するようにしたのは、副秤ＳＸの表示灯ＬＳＸが連続点灯する他の場合と区別して、注意を促すためであるが、いずれの場合も連続点灯又は点滅するようにしてもよい。
【００４０】
なお、上記実施形態では、副秤ユニット２に５個の副秤Ｓ１〜Ｓ５を設けたものを例示したが、組合せ重量を所定範囲の下限値にさらに近づけたい場合には、副秤ユニット２にさらに多数個の副秤ＳＸを設け、装置のコストや設置場所の制約がある場合には、副秤ユニット２に設ける副秤ＳＸの個数を減らせばよい。
【００４１】
また、アスパラガスを計量する場合について例示したが、このような構成の装置は、他の農産物等、様々な物品の組合せ計量に使用することができる。
【符号の説明】
【００４２】
１  主秤ユニット
２  副秤ユニット
３  操作画面
４  電源スイッチ
Ｍ  主秤
ＤＭ  表示板
ＬＭＪ  「適」表示灯
ＬＭＢ  「多」表示灯
Ｓ１〜Ｓ５（ＳＸ）  副秤
ＤＳ１〜ＤＳ５（ＤＳＸ）  表示板
ＬＳ１〜ＬＳ５（ＬＳＸ）  表示灯
ＬＳＢ  「多」表示灯
ＬＳＦ  「少」表示灯
【図１】
0005894853.tif 000002
【図２】
0005894853.tif 000003
【図３】
0005894853.tif 000004
【図４】
0005894853.tif 000005
【図５】
0005894853.tif 000006
【図６】
0005894853.tif 000007
【図７】
0005894853.tif 000008
【図８】
0005894853.tif 000009